(57)【要約】【課題】電力消費を節減することができる表示装置、その駆動方法及び表示装置用駆動装置を提供する。【解決手段】本発明は表示装置、その駆動方法及び表示装置用駆動装置に関し、この駆動装置は光感知部からの光感知信号及び接触感知部からの接触感知信号を増幅する増幅部と、増幅部からの増幅された光感知信号及び増幅された接触感知信号を直列感知信号に変換する並列−直列変換器と、直列感知信号をデジタル感知信号に変換するアナログ−デジタル変換器とを備える。この時、増幅部、並列−直列変換器、及びアナログ−デジタル変換器は接触感知信号によって正常モードと節電モードに分けて動作する。本発明によれば、接触がなければ節電モードで動作して信号読取部の一部に電源を供給しないことによって、電力消費を減らすことができ、低い周波数を有するクロック信号に同期して動作するためにさらに消費電力を減らすことができる。【選択図】図５
2006201763.tif 000002
【特許請求の範囲】
【請求項１】
光感知部及び接触感知部を含む表示装置を駆動する装置であって、
前記光感知部からの光感知信号及び前記接触感知部からの接触感知信号を増幅する増幅部と、
前記増幅部からの前記増幅された光感知信号及び前記増幅された接触感知信号を直列感知信号に変換する並列−直列変換器と、
前記直列感知信号をデジタル感知信号に変換するアナログ−デジタル変換器と、を含み、
前記増幅部、前記並列−直列変換器、及び前記アナログ−デジタル変換器は前記接触感知信号によって正常モードと節電モードとに分けて動作する表示装置の駆動装置。
【請求項２】
前記増幅部は前記光感知信号を増幅する第１増幅部及び前記接触感知信号を増幅する第２増幅部を含み、
前記第１増幅部は前記節電モードで電源供給が遮断される請求項１に記載の表示装置の駆動装置。
【請求項３】
前記第１増幅部と前記並列−直列変換器との間に連結されていて、前記第１増幅部からの前記増幅された光感知信号に対して標本を抽出して維持する第１標本維持部と、
前記第２増幅部と前記並列−直列変換器との間に連結されていて、前記第２増幅部からの前記増幅された接触感知信号に対して標本を抽出して維持する第２標本維持部と、をさらに含み、
前記第１標本維持部は前記節電モードで電源供給が遮断される請求項２に記載の表示装置の駆動装置。
【請求項４】
前記並列−直列変換器は、前記正常モードで動作する第１シフトレジスターと前記節電モードで動作する第２シフトレジスターを含む請求項１に記載の表示装置の駆動装置。
【請求項５】
前記第１シフトレジスターは第１クロック信号に同期して前記増幅された光感知信号及び前記増幅された接触感知信号を第１直列感知信号に変換し、
前記第２シフトレジスターは前記第１クロック信号の周波数より低い周波数を有する第２クロック信号に同期して前記増幅された接触感知信号を第２直列感知信号に変換する請求項４に記載の表示装置の駆動装置。
【請求項６】
前記正常モードで前記シフトレジスターを選択し、前記節電モードで前記第２シフトレジスターを選択するスイッチをさらに含む請求項５に記載の表示装置の駆動装置。
【請求項７】
前記第１シフトレジスターは前記節電モードで電源供給が遮断され、前記第２シフトレジスターは前記正常モードで電源供給が遮断される請求項４に記載の表示装置の駆動装置。
【請求項８】
前記アナログ−デジタル変換器は、前記正常モードで第１クロック信号に同期して動作し、前記節電モードで前記第１クロック信号の周波数より低い周波数を有する第２クロック信号に同期して動作する請求項１に記載の表示装置の駆動装置。
【請求項９】
前記接触感知信号によって接触したと判断されれば正常モードで動作し、所定時間接触しなかったと判断されれば節電モードで動作する請求項１に記載の表示装置の駆動装置。
【請求項１０】
光感知部及び接触感知部を含む表示装置を駆動する装置であって、
前記光感知部からの光感知信号及び前記接触感知部からの接触感知信号を各々増幅する第１及び第２増幅部と、
前記第１及び第２増幅部からの前記増幅された光感知信号及び前記増幅された接触感知信号を直列感知信号に変換する並列−直列変換器と、
前記直列感知信号をデジタル感知信号に変換するアナログ−デジタル変換器と、を含み、
前記接触感知信号によって前記第１増幅部に印加される電源を遮断する表示装置の駆動装置。
【請求項１１】
前記第１増幅部と前記並列−直列変換器との間に連結されていて、前記第１増幅部からの前記増幅された光感知信号に対して標本を抽出して維持する第１標本維持部と、
前記第２増幅部と前記並列−直列変換器との間に連結されていて、前記第２増幅部からの前記増幅された接触感知信号に対して標本を抽出して維持する第２標本維持部と、をさらに含み、
前記接触感知信号によって前記第１標本維持部に印加される電源を遮断する請求項１０に記載の表示装置の駆動装置。
【請求項１２】
前記並列−直列変換器及び前記アナログ−デジタル変換器は、前記接触感知信号によって第１クロック信号及び前記第１クロック信号の周波数より低い周波数を有する第２クロック信号のうちのいずれかに同期して動作する請求項１０に記載の表示装置の駆動装置。
【請求項１３】
光感知部及び接触感知部を含む表示装置を駆動する装置であって、
前記光感知部からの光感知信号及び前記接触感知部からの接触感知信号を増幅する増幅部と、
前記増幅部からの増幅された前記光感知信号及び前記接触感知信号を直列感知信号に変換する並列−直列変換器と、
前記直列感知信号をデジタル感知信号に変換するアナログ−デジタル変換器と、を含み、
前記並列−直列変換器及び前記アナログ−デジタル変換器は、前記接触感知信号によって第１クロック信号及び前記第１クロック信号の周波数より低い周波数を有する第２クロック信号のうちのいずれかに同期して動作する表示装置の駆動装置。
【請求項１４】
前記並列−直列変換器は、前記第１クロック信号に同期して動作する第１シフトレジスターと前記第２クロック信号に同期して動作する第２シフトレジスターを含む請求項１３に記載の表示装置の駆動装置。
【請求項１５】
前記第１シフトレジスターは前記増幅された光感知信号及び前記増幅された接触感知信号を第１直列感知信号に変換し、前記第２シフトレジスターは前記増幅された接触感知信号を第２直列感知信号に変換する請求項１４に記載の表示装置の駆動装置。
【請求項１６】
前記接触感知信号によって前記第１シフトレジスターおよび前記第２シフトレジスターのうちのいずれか一つを選択するスイッチをさらに含む請求項１４に記載の表示装置の駆動装置。
【請求項１７】
複数の画素と、
複数の光感知部と、
複数の接触感知部と、
前記光感知部及び前記接触感知部に連結されている複数の感知信号線と、
映像信号をデータ電圧に変換して前記画素に印加するデータ駆動部と、
前記光感知部からの光感知信号及び前記接触感知部からの接触感知信号を受けて所定信号処理を行い、前記接触感知信号によって正常モードと節電モードに分けて動作する信号読取部と、
外部装置でから前記映像信号を受けて前記データ駆動部及び前記信号読取部を制御する信号制御部と、
を含む表示装置。
【請求項１８】
前記信号読取部は、
前記光感知信号及び前記接触感知信号を各々増幅する第１及び第２増幅部と、
前記第１増幅部からの前記増幅された光感知信号及び前記第２増幅部からの前記増幅された接触感知信号を第１直列感知信号に変換する第１並列−直列変換器と、
前記第２増幅部からの前記増幅された接触感知信号を第２直列感知信号に変換する第２並列−直列変換器と、
前記第１及び第２直列感知信号をデジタル感知信号に変換するアナログ−デジタル変換器と、
を含む請求項１７表示装置。
【請求項１９】
前記第１増幅部は前記節電モードで電源供給が遮断される請求項１８に記載の表示装置。
【請求項２０】
前記第１シフトレジスターは前記正常モードで動作し、前記第２シフトレジスターは前記節電モードで動作する請求項１８に記載の表示装置。
【請求項２１】
前記第１シフトレジスターは第１クロック信号に同期して動作し、前記第２シフトレジスターは前記第１クロック信号の周波数より低い周波数を有する第２クロック信号に同期して動作する請求項２０に記載の表示装置。
【請求項２２】
前記第１シフトレジスターは前記節電モードで電源供給が遮断され、前記第２シフトレジスターは前記正常モードで電源供給が遮断される請求項２０に記載の表示装置。
【請求項２３】
前記アナログ−デジタル変換器は前記正常モードで第１クロック信号に同期して動作し、前記節電モードで前記第１クロック信号の周波数より低い周波数を有する第２クロック信号に同期して動作する請求項１８に記載の表示装置。
【請求項２４】
前記データ駆動部、前記信号読取部及び前記信号制御部は一つのＩＣチップ内に集積されている請求項１７に記載の表示装置。
【請求項２５】
光感知部及び接触感知部を含む表示装置の駆動方法であって、
前記接触感知部からの接触感知信号を読取る第１読取段階と、
前記第１読取段階における前記接触感知信号によって接触有無を判断する第１判断段階と、
前記光感知部からの光感知信号と共に前記接触感知部からの接触感知信号を読取る第２読取段階と、
前記第２読取段階における前記接触感知信号によって接触有無を判断する第２判断段階と、を含み、
前記第１読取段階で接触したと判断されれば前記第２読取段階を行い、
前記第２判断段階で所定時間接触しなかったと判断されれば前記第１読取段階を行う表示装置の駆動方法。
【請求項２６】
前記第１判断段階で接触しなかったと判断されれば前記第１読取段階を維持し、
前記第２判断段階で接触した後、前記所定時間以内であると判断されれば前記第２読取段階を維持する請求項２５に記載の表示装置の駆動方法。
【請求項２７】
前記表示装置は前記光感知信号を増幅する増幅部をさらに含み、
前記第１読取段階は前記増幅部に印加される電源を遮断する段階を含む請求項２６に記載の表示装置の駆動方法。
【請求項２８】
前記表示装置は前記光感知信号及び前記接触感知信号を直列信号に変換する並列−直列変換器及び前記直列信号をデジタル感知信号に変換するアナログ−デジタル変換器をさらに含み、
前記第１読取段階は前記並列−直列変換器及び前記アナログ−デジタル変換器を第１クロック信号に同期させて駆動する段階を含み、
前記第２読取段階は前記並列−直列変換器及び前記アナログ−デジタル変換器を前記第１クロック信号の周波数より高い周波数を有する第２クロック信号に同期させて駆動する段階を含む請求項２６に記載の表示装置の駆動方法。
【請求項２９】
前記表示装置は前記光感知信号と共に前記接触感知信号を直列信号に変換する第１シフトレジスター及び前記接触感知信号を直列信号に変換する第２シフトレジスターをさらに含み、
前記第１読取段階は前記第１シフトレジスターに印加される電源を遮断する段階を含み、
前記第２読取段階は前記第２シフトレジスターに印加される電源を遮断する段階を含む請求項２６に記載の表示装置の駆動方法。
【発明の詳細な説明】
【技術分野】
【０００１】
本発明は表示装置、その駆動方法及び表示装置用駆動装置に関するものである。
【背景技術】
【０００２】
一般的な液晶表示装置（ＬＣＤ）は、画素電極及び共通電極が備えられた二つの表示板と、その間に入っている誘電率異方性を有する液晶層を含む。画素電極は行列形態に配列されており、薄膜トランジスタ（ＴＦＴ）などのスイッチング素子に連結されて一行ずつ順次にデータ電圧の印加を受ける。共通電極は、表示板の全面にわたって形成されており、共通電圧の印加を受ける。画素電極、共通電極、及びその間の液晶層は回路的にみると、液晶キャパシタを構成している。液晶キャパシタは、これに連結されたスイッチング素子と共に画素を構成する基本単位となる。
【０００３】
このような液晶表示装置では、二つの電極に電圧を印加して液晶層に電界を生成し、この電界の強さを調節することで、液晶層を通過する光の透過率を調節して所望の画像を得る。この時、液晶層に一方向の電界が長時間印加されることによって発生する劣化現象を防止するために、フレーム別に、行別に、または画素別に共通電圧に対するデータ電圧の極性を反転させる。
【０００４】
最近、このような液晶表示装置にセンサーを備えた製品が開発されている。センサーは使用者の手またはタッチペンなどが液晶表示装置の画面に接触すると、センサーの出力変化を液晶表示装置に提供する。液晶表示装置は、センサーの出力変化から接触有無及び接触位置などの接触情報を判断して外部装置に伝送し、外部装置は接触情報に基づいた映像信号を液晶表示装置に伝送する。このようなセンサーは、液晶表示装置に別途のタッチパネルを付着して形成してもよいが、そのように形成された液晶表示装置は厚さ及び重量が増加し、精密な文字や絵を表現することが困難である。したがって、薄膜トランジスタからなるセンサーを画素内部に形成する技術が開発されてきた。
【０００５】
一方、携帯電話やＰＤＡなどのような中小型液晶表示装置は携帯用であるので、消費電力を減らすことで長時間の携帯を可能にし、また移動性を容易にする。ところが、センサーの出力信号を読み込む信号読取部は、液晶表示装置が点灯されている状態では常にセンサーの出力信号を読み込む状態を維持する。この場合、信号読取部が持続的に電力を消耗するため液晶表示装置の電力消耗が大きくなる。
【発明の開示】
【発明が解決しようとする課題】
【０００６】
したがって、本発明が解決しようとする技術的課題は、電力消費を節減することができる表示装置、その駆動方法及び表示装置用駆動装置を提供することにある。
【課題を解決するための手段】
【０００７】
このような技術的課題を構成するための本発明の一実施例による光感知部及び接触感知部を含む表示装置を駆動する装置は、前記光感知部からの光感知信号及び前記接触感知部からの接触感知信号を増幅する増幅部と、前記増幅部からの前記増幅された光感知信号及び前記増幅された接触感知信号を直列感知信号に変換する並列−直列変換器と、前記直列感知信号をデジタル感知信号に変換するアナログ−デジタル変換器とを含み、前記増幅部、前記並列−直列変換器及び前記アナログ−デジタル変換器は前記接触感知信号によって正常モードと節電モードとに分けて動作する。
【０００８】
前記増幅部は前記光感知信号を増幅する第１増幅部及び前記接触感知信号を増幅する第２増幅部を含み、前記第１増幅部は前記節電モードで電源供給が遮断できる。
【０００９】
前記第１増幅部と前記並列−直列変換器の間に連結されていて、前記第１増幅部からの前記増幅された光感知信号に対して標本を抽出して維持する第１標本維持部と、前記第２増幅部と前記並列−直列変換器の間に連結されていて、前記第２増幅部からの前記増幅された接触感知信号に対して標本を抽出して維持する第２標本維持部をさらに含み、前記第１標本維持部は前記節電モードで電源供給が遮断できる。
【００１０】
前記並列−直列変換器は、前記正常モードで動作する第１並列−直列変換器（シフトレジスター）と前記節電モードで動作する第２並列−直列変換器（シフトレジスター）を含んで成る。
【００１１】
前記第１並列−直列変換器は第１クロック信号に同期して前記増幅された光感知信号及び前記増幅された接触感知信号を第１直列感知信号に変換し、前記第２並列−直列変換器は前記第１クロック信号の周波数より低い周波数を有する第２クロック信号に同期して前記増幅された接触感知信号を第２直列感知信号に変換することができる。
【００１２】
前記正常モードで前記第１並列−直列変換器を選択し、前記節電モードで前記第２並列−直列変換器を選択するスイッチをさらに含むことができる。
【００１３】
前記第１並列−直列変換器は前記節電モードで電源供給が遮断され、前記第２並列−直列変換器は前記正常モードで電源供給が遮断できる。
【００１４】
前記アナログ−デジタル変換器は前記正常モードで第１クロック信号に同期して動作し、前記節電モードで前記第１クロック信号の周波数より低い周波数を有する第２クロック信号に同期して動作することができる。
【００１５】
前記接触感知信号によって接触したと判断されれば正常モードで動作し、所定時間接触しなかったと判断されれば節電モードで動作することができる。
【００１６】
本発明の他の実施例による光感知部及び接触感知部を含む表示装置を駆動する装置は、前記光感知部からの光感知信号及び前記接触感知部からの接触感知信号を各々増幅する第１及び第２増幅部と、前記第１及び第２増幅部からの前記増幅された光感知信号及び前記増幅された接触感知信号を直列感知信号に変換する並列−直列変換器と、前記直列感知信号をデジタル感知信号に変換するアナログ−デジタル変換器とを含み、前記接触感知信号によって前記第１増幅部に印加される電源を遮断する。
【００１７】
前記第１増幅部と前記並列−直列変換器の間に連結されていて、前記第１増幅部からの前記増幅された光感知信号に対して標本を抽出して維持する第１標本維持部と、前記第２増幅部と前記並列−直列変換器の間に連結されていて、前記第２増幅部からの前記増幅された接触感知信号に対して標本を抽出して維持する第２標本維持部とをさらに含み、前記接触感知信号によって前記第１標本維持部に印加される電源を遮断することができる。
【００１８】
前記並列−直列変換器及び前記アナログ−デジタル変換器は前記接触感知信号によって第１クロック信号及び前記第１クロック信号の周波数より低い周波数を有する第２クロック信号のうちのいずれかに同期して動作することができる。
【００１９】
本発明の他の実施例による光感知部及び接触感知部を含む表示装置を駆動する装置は、前記光感知部からの光感知信号及び前記接触感知部からの接触感知信号を増幅する増幅部と、前記増幅部からの増幅された前記光感知信号及び前記接触感知信号を直列感知信号に変換する並列−直列変換器と、前記直列感知信号をデジタル感知信号に変換するアナログ−デジタル変換器とを含み、前記並列−直列変換器及び前記アナログ−デジタル変換器は前記接触感知信号によって第１クロック信号及び前記第１クロック信号の周波数より低い周波数を有する第２クロック信号のうちのいずれかに同期して動作する。
【００２０】
前記並列−直列変換器は前記第１クロック信号に同期して動作する第１並列−直列変換器と前記第２クロック信号に同期して動作する第２並列−直列変換器とを含んで成る。
【００２１】
前記第１並列−直列変換器は前記増幅された光感知信号及び前記増幅された接触感知信号を第１直列感知信号に変換し、前記第２並列−直列変換器は前記増幅された接触感知信号を第２直列感知信号に変換することができる。
【００２２】
前記接触感知信号によって前記第１並列−直列変換器と前記第２並列−直列変換器のうちのいずれかを選択するスイッチをさらに含むことができる。
【００２３】
本発明の他の実施例による表示装置は、複数の画素と、複数の光感知部と、複数の接触感知部と、前記光感知部及び前記接触感知部に連結されている複数の感知信号線と、映像信号をデータ電圧に変換して前記画素に印加するデータ駆動部と、前記光感知部からの光感知信号及び前記接触感知部からの接触感知信号を受けて所定信号処理を行い、前記接触感知信号によって正常モードと節電モードに分けて動作する信号読取部と、外部装置から前記映像信号を受けて前記データ駆動部及び前記信号読取部を制御する信号制御部とを含んで成る。
【００２４】
前記信号読取部は、前記光感知信号及び前記接触感知信号を各々増幅する第１及び第２増幅部と、前記第１増幅部からの前記増幅された光感知信号及び前記第２増幅部からの前記増幅された接触感知信号を第１直列感知信号に変換する第１並列−直列変換器と、前記第２増幅部からの前記増幅された接触感知信号を第２直列感知信号に変換する第２並列−直列変換器と、前記第１及び第２直列感知信号をデジタル感知信号に変換するアナログ−デジタル変換器とを含んで成る。
【００２５】
前記データ駆動部、前記信号読取部及び前記信号制御部は一つのＩＣチップ内に集積できる。
【００２６】
本発明の他の実施例による光感知部及び接触感知部を含む表示装置の駆動方法は、前記接触感知部からの接触感知信号を読取る第１読取段階と、前記第１読取段階における前記接触感知信号によって接触有無を判断する第１判断段階と、前記光感知部からの光感知信号と共に前記接触感知部からの接触感知信号を読取る第２読取段階と、前記第２読取段階における前記接触感知信号によって接触有無を判断する第２判断段階とを含み、前記第１判断段階で接触したと判断されれば前記第２読取段階を行い、前記第２判断段階で所定時間接触しなかったと判断されれば前記第１読取段階を行う。
【００２７】
前記第１判断段階で接触しなかったと判断されれば前記第１読取段階を維持し、前記第２判断段階で接触した後、前記所定時間以内であると判断されれば前記第２読取段階を維持することができる。
【００２８】
前記表示装置は前記光感知信号を増幅する増幅部をさらに含み、前記第１読取段階は前記増幅部に印加される電源を遮断する段階を含むことができる。
【００２９】
前記表示装置は前記光感知信号及び前記接触感知信号を直列信号に変換する並列−直列変換器及び前記直列信号をデジタル感知信号に変換するアナログ−デジタル変換器をさらに含み、前記第１読取段階は前記並列−直列変換器及び前記アナログ−デジタル変換器を第１クロック信号に同期させて駆動する段階を含み、前記第２読取段階は前記並列−直列変換器及び前記アナログ−デジタル変換器を前記第１クロック信号の周波数より高い周波数を有する第２クロック信号に同期させて駆動する段階を含むことができる。
前記表示装置は前記光感知信号と共に前記接触感知信号を直列信号に変換する第１並列−直列変換器及び前記接触感知信号を直列信号に変換する第２並列−直列変換器をさらに含み、前記第１読取段階は前記第１並列−直列変換器に印加される電源を遮断する段階を含み、前記第２読取段階は前記第２並列−直列変換器に印加される電源を遮断する段階を含むことができる。
【発明の効果】
【００３０】
本発明によれば、接触がなければ節電モードで動作して信号読取部の一部に電源を供給しないことにより電力消費を減らすことができ、また、シフトレジスター及びアナログ−デジタル変換器が低い周波数を有するクロック信号に同期して動作することで、さらに消費電力を減らすことができる。
【発明を実施するための最良の形態】
【００３１】
添付した図面を参照して、本発明の実施例について、本発明の属する技術分野における通常の知識を有する者が容易に実施できるように詳細に説明する。
【００３２】
図面は、多様な層及び領域を明確に表現するために厚さを拡大して示した。明細書全体にわたって類似な部分については同一の参照符号を付けた。層、膜、領域、および板などの部分が他の部分の“上”にあるとする時、これは他の部分の“直上”にある場合だけでなく、その中間に他の部分がある場合も含む。また、ある部分が他の部分の“直上”にあるとする時、その中間に他の部分がないことを意味する。
【００３３】
次に、本発明の実施例による表示装置、その駆動方法及び表示装置用駆動装置について図面を参照して詳細に説明する。
【００３４】
図１は、本発明の一実施例による液晶表示装置のブロック図である。図２は、本発明の一実施例による液晶表示装置の光感知部を含む画素に対する等価回路図である。図３は、本発明の一実施例による液晶表示装置の接触感知部を含む画素に対する等価回路図である。図４は、本発明の一実施例による信号読取部が実現されているＩＣのブロック図である。図５は、本発明の一実施例による信号読取部の概略図である。図６は、本発明の一実施例による信号読取部が実現されている複合ＩＣのブロック図である。
【００３５】
図１に示しているように、本発明の一実施例による液晶表示装置は、液晶表示板組立体３００と、液晶表示板組立板に連結された映像走査部４００、データ駆動部５００、感知走査部７００、信号読取部８００と、データ駆動部５００に連結された階調電圧生成部５５０と、これらを制御する信号制御部６００とを備える。
【００３６】
液晶表示板組立体３００は等価回路でみると、複数の信号線（Ｇ１〜Ｇｎ、Ｄ１〜Ｄｍ、Ｓ１〜ＳＮ、Ｐ１〜ＰＭ、ＰＳＧ、ＰＳＤ）、およびこれら複数の信号線に連結されていてほぼ行列形態に配列された複数の画素を含む。
【００３７】
信号線（Ｇ１〜Ｇｎ、Ｄ１〜Ｄｍ）は、映像走査信号を伝達する複数の映像走査線Ｇ１〜Ｇｎと、映像データ信号を伝達するデータ線Ｄ１〜Ｄｍとを含む。映像走査線Ｇ１〜Ｇｎは、ほぼ行方向に延びていて互いにほとんど平行しており、データ線Ｄ１〜Ｄｍは、ほぼ列方向に延びていて互いにほとんど平行している。
【００３８】
信号線（Ｓ１〜ＳＮ、Ｐ１〜ＰＭ）は、感知走査信号を伝達する複数の感知走査線Ｓ１〜ＳＮと、感知信号を伝達する感知信号線Ｐ１〜ＰＭとを含む。感知走査線Ｓ１〜ＳＮは、ほぼ行方向に延びていて互いにほとんど平行している。感知信号線Ｐ１〜ＰＭは、ほぼ列方向に延びていて互いにほとんど平行している。
【００３９】
信号線ＰＳＧ、ＰＳＤは、制御電圧ＶＳＧを伝達する制御電圧線ＰＳＧと、入力電圧ＶＳＤを伝達する入力電圧線ＰＳＤとを含み、行または列方向に延びている。
【００４０】
各画素は、信号線（Ｇ１〜Ｇｎ、Ｄ１〜Ｄｍ）に連結されたスイッチング素子ＱＳ１と、スイッチング素子ＱＳ１に連結された液晶キャパシタＣＬＣ及びストレージキャパシタＣＳＴとを含む。ストレージキャパシタＣＳＴは必要に応じて省略できる。
【００４１】
薄膜トランジスタなどのスイッチング素子ＱＳ１は三端子素子であって、その制御端子及び入力端子は各々映像走査線Ｇ１〜Ｇｎ及びデータ線Ｄ１〜Ｄｍに連結されており、出力端子は液晶キャパシタＣＬＣ及びストレージキャパシタＣＳＴに連結されている。
【００４２】
液晶キャパシタＣＬＣは、液晶表示板組立体３００が有する下部表示板の画素電極（図示せず）と上部表示板の共通電極（図示せず）を二つの端子とし、二つの電極の間の液晶層は誘電体として機能する。画素電極はスイッチング素子Ｑｓ１に連結され、共通電極は上部表示板の全面に形成されていて共通電圧Ｖｃｏｍの印加を受ける。共通電極が下部表示板に備えられる場合もあり、この場合には二つの電極のうちの少なくとも一つを線状または棒状に作ることができる。
【００４３】
液晶キャパシタＣＬＣの補助的な役割を果たすストレージキャパシタＣＳＴは、下部表示板に備えられた別個の信号線（図示せず）と画素電極が絶縁体を間において重なって構成され、この別個の信号線には共通電圧Ｖｃｏｍなどの決められた電圧が印加される。しかし、ストレージキャパシタＣＳＴは、画素電極が絶縁体を媒介として直上の前端ゲート線と重なって構成されてもよい。
【００４４】
一方、色表示を実現するためには、各画素が三原色のうちの一つを固有に表示し（空間分割）、または各画素が時間にともなって交互に三原色を表示する（時間分割）。これら三原色の空間的、時間的な作用で所望の色相を認識させる。空間分割の一例として、各画素が画素電極に対応する領域に赤色、緑色、または青色の色フィルター（図示せず）を備えることができる。
【００４５】
図２に示したように、画素は光感知部ＳＣ１を含むが、これは信号線（ＰＳＧ、ＰＳｄ）に連結された感知素子ＱＰ１と信号線（Ｓ１〜ＳＮ、Ｐ１〜ＰＭ）のうちの一部に連結されたスイッチング素子ＱＳ２と、これらに連結された感知信号キャパシタＣＰ１を含む。しかし、全ての画素がこのような光感知部ＳＣ１を含む必要はなく、光感知部ＳＣ１の解像度は必要に応じて調整できる。つまり、複数の画素のうちの一つの画素が光感知部を含むことができ、液晶表示板組立体３００で所定間隔ごとに光感知部を配置することができる。
【００４６】
例えば、液晶表示装置の解像度がＱＶＧＡ（２４０＊３２０ドット）である場合、光感知部の解像度がＱＶＧＡであれば、３個の画素当り一つの光感知部が配置され、光感知部の解像度がＱＱＶＧＡ（１２０＊１６０ドット）であれば、１２個の画素当り一つの光感知部が配置される。ここで、１ドットは３個の画素（例として、赤色、緑色、および青色の３個）が集まって一つの映像を表示する単位を意味する。
【００４７】
感知素子ＱＰ１は三端子素子であって、その制御端子及び入力端子は各々制御電圧線ＰＳＧと入力電圧線ＰＳＤに連結されており、出力端子は感知信号キャパシタＣＰ１及びスイッチング素子ＱＳ２に連結されている。感知素子ＱＰ１は、その半導体のチャンネル部に光が照射されれば、非晶質シリコンまたは多結晶シリコンからなる半導体のチャンネル部が光電流を形成し、入力電圧線ＰＳＤに印加された入力電圧ＶＳＤによって光電流が感知信号キャパシタＣＰ１及びスイッチング素子ＱＳ２方向に流れる。
【００４８】
感知信号キャパシタＣＰ１は感知素子ＱＰ１と制御電圧線ＰＳＧとの間に連結されており、感知素子ＱＰ１からの光電流による電荷を蓄積して所定電圧を維持する。感知信号キャパシタＣＰ１は必要に応じて省略できる。
【００４９】
スイッチング素子ＱＳ２もまた三端子素子で、その制御端子、出力端子、及び入力端子は各々感知走査線Ｓ１〜ＳＮ、感知信号線Ｐ１〜ＰＭ、及び感知素子ＱＰに連結されている。スイッチング素子ＱＳ２は、感知走査線Ｓ１〜ＳＮにスイッチング素子ＱＳ２を導通させる電圧が印加されれば、感知信号キャパシタＣＰ１に保存されている電圧または感知素子ＱＰ１からの光電流を光感知信号ＶＰとして当該感知信号線Ｐ１〜ＰＭに出力する。
【００５０】
一方、図３に示したように、一部の画素は接触感知部ＳＣ２を含む。接触感知部ＳＣ２は共通電圧Ｖｃｏｍに連結されているスイッチＳＷＴ、スイッチＳＷＴと信号線ＰＳＧに連結された感知素子Ｑｐ２、及び信号線（Ｓ１〜ＳＮ、Ｐ１〜ＰＭ）のうちの一部に連結されたスイッチング素子ＱＳ３を含む。
【００５１】
接触感知部ＳＣ２は、信号線（Ｓ１〜ＳＮ、Ｐ１〜ＰＭ）が交差する画素のうちの光感知部のない画素に含まれており、接触感知部ＳＣ２の解像度は必要に応じて調整できる。
【００５２】
スイッチＳＷＴは、使用者が液晶表示に接触することによって共通電圧Ｖｃｏｍを感知素子Ｑｐ２に伝達する。
【００５３】
感知素子Ｑｐ２は三端子素子で、その制御端子及び入力端子は各々制御電圧線ＰＳＧとスイッチＳＷＴに連結されており、出力端子はスイッチング素子ＱＳ３に連結されている。感知素子Ｑｐ２はスイッチＳＷＴから伝達された共通電圧Ｖｃｏｍによる漏洩電流を出力する。
【００５４】
スイッチング素子ＱＳ３もまた三端子素子で、その制御端子、出力端子、及び入力端子は各々感知走査線Ｓ１〜ＳＮ、感知信号線Ｐ１〜ＰＭ、及び感知素子ＱＴに連結されている。スイッチング素子ＱＳ３は感知走査線Ｓ１〜ＳＮにスイッチング素子ＱＳ３を導通させる電圧が印加されれば、感知素子ＱＰ２からの漏洩電流を接触感知信号ＶＴとして当該感知信号線Ｐ１〜ＰＭに出力する。
【００５５】
一つの感知信号線Ｐ１〜ＰＭに光感知部及び接触感知部が共に連結されてもよいが、光感知部及び接触感知部のうちのいずれか一つのみが連結されることが好ましい。
【００５６】
ここで、スイッチング素子（ＱＳ１、ＱＳ２、ＱＳ３）及び感知素子（ＱＰ１、ＱＰ２）は、非晶質シリコンまたは多結晶シリコン薄膜トランジスタからなることができる。
【００５７】
光感知部は、使用者が接触した部分にのみ影が生じて接触された位置が感知できる。しかし、接触感知部は、使用者の接触（圧力）によってガラスなどからなる液晶表示板組立体３００が広い面積にわたって押さえられるので、複数のスイッチＳＷＴが接触してしまい接触された位置を感知することが難しく、単に接触有無のみを感知することしかできない。
【００５８】
感知部の解像度が低ければ感知信号を処理する時間を減らすことができるので、できるだけ接触感知部の解像度を低くすることが好ましい。特に、接触感知部の解像度が光感知部の解像度より低いのが好ましく、そうであっても接触有無を判断するのに大きな影響を与えないからである。
【００５９】
一方、光感知部及び接触感知部が画素内に含まれていると説明したが、光感知部及び接触感知部は画素の間または画素外の別途の領域に配置されてもよい。
【００６０】
再び図１を参照すれば、階調電圧生成部５５０は画素の透過率に関する二対の複数階調電圧を生成する。二対のうちの一対は共通電圧Ｖｃｏｍに対して正の値を有し、他の一対は負の値を有する。
【００６１】
映像走査部４００は、液晶表示板組立体３００の映像走査線Ｇ１〜Ｇｎに連結されてゲートオン電圧Ｖｏｎとゲートオフ電圧Ｖｏｆｆの組み合わせからなる映像走査信号を映像走査線Ｇ１〜Ｇｎに印加する。
【００６２】
データ駆動部５００は、液晶表示板組立体３００のデータ線Ｄ１〜Ｄｍに連結されて階調電圧生成部５５０からの階調電圧を選択しデータ信号として画素に印加する。
【００６３】
感知走査部７００は、液晶表示板組立体３００の感知走査線Ｓ１〜ＳＮに連結されてゲートオン電圧Ｖｏｎとゲートオフ電圧Ｖｏｆｆの組み合わせからなる感知走査信号を感知走査線Ｓ１〜ＳＮに印加する。
【００６４】
信号読取部８００は、液晶表示板組立体３００の感知信号線Ｐ１〜ＰＭに連結されて感知信号線Ｐ１〜ＰＭを通じて出力される光感知信号ＶＰ及び接触感知信号ＶＴの入力を受けて増幅及びフィルタリングなどの信号処理を行った後、アナログ−デジタル変換してデジタル感知信号ＤＳＮを出力する。
【００６５】
信号制御部６００は、映像走査部４００、データ駆動部５００、感知走査部７００、および信号読取部８００などの動作を制御する。
【００６６】
映像走査部４００、データ駆動部５００、感知走査部７００、または信号読取部８００は複数の駆動集積回路チップの形態で液晶表示板組立体３００上に直接装着され、または可撓性印刷回路膜（図示せず）上に装着されてＴＣＰの形態で液晶表示板組立体３００に付着できる。これとは異なって、映像走査部４００、データ駆動部５００、感知走査部７００、または信号読取部８００が液晶表示板組立体３００に集積されてもよい。
【００６７】
一方、液晶表示装置は信号読取部８００からデジタル感知信号ＤＳＮを受けて接触有無及び接触位置を判断する接触判断部（図示せず）をさらに含むことができる。接触判断部は信号制御部６００に含まれてもよく、別途の集積回路チップで実現されてもよい。
【００６８】
図４に示しているように、一つの集積回路チップで実現されている信号読取部８００は順次に連結されている複数の増幅部８１０、標本維持部８２０、並列−直列変換器８３０、アナログ−デジタル変換器８４０、および電源部８５０を備える。
【００６９】
また、図５に示しているように、増幅部８１０はｘ個の増幅部（第1増幅部）８１１とｙ個の増幅部（第２増幅部）８１２とを含む。増幅部８１１、８１２は、各々感知信号線Ｐ１〜ＰＭのうちの光感知部及び接触感知部に連結されている感知信号線に連結されており、感知信号線Ｐ１〜ＰＭを通じて伝達される光感知信号ＶＰ及び接触感知信号ＶＴの入力を各々受けて増幅及びフィルタリングする。ここで、ｘは光感知部の横解像度に相当し、ｙ（＝Ｍ−ｘ）は接触感知部の横解像度に相当する。
【００７０】
標本維持部８２０は、第１及び第２標本維持部８２１、８２２を含む。第１及び第２標本維持部８２１、８２２は、各々増幅部８１１、８１２に連結されており、増幅された感知信号ＶＰ、ＶＴに対して各々標本を抽出して維持する。
【００７１】
並列−直列変換器８３０は、複数のスイッチングトランジスタＴＲ１、ＴＲ２、複数のスイッチＳＷ１、ＳＷ２、およびシフトレジスター８３１、８３２を含む。並列−直列変換器８３０は、標本維持部８２０からの処理された感知信号ＶＰ、ＶＴを直列信号（直列感知信号）に変換する。
【００７２】
スイッチングトランジスタＴＲ１は三端子素子であって、入力端子、出力端子、及び制御端子は、各々第１標本維持部８２１及び第２標本維持部８２２、信号線Ｌ１、及び第1シフトレジスター８３１に連結されており、処理された感知信号ＶＰ、ＶＴをシフトレジスター８３１からのクロックパルスによってアナログ−デジタル変換器８４０に出力する。
【００７３】
スイッチングトランジスタＴＲ２は、三端子素子であって、入力端子、出力端子、及び制御端子は、各々第２標本維持部８２２、信号線Ｌ２、及び第２シフトレジスター８３２に連結されており、処理された接触感知信号ＶＴをシフトレジスター８３２からのクロックパルスによってアナログ−デジタル変換器８４０に出力する。
【００７４】
シフトレジスター８３１は、選択信号ＳＤによって動作し、第1クロック信号ＣＬＫ１に同期してクロックパルスをスイッチングトランジスタＴＲ１に順次に出力する。順次に導通したスイッチングトランジスタＴＲ１を通じて処理された感知信号ＶＰ、ＶＴ（第1直列感知信号）はアナログ−デジタル変換器８４０に入力される。
【００７５】
シフトレジスター８３２は選択信号ＳＤＢの電圧レベルが反転された信号（以下、「反転信号：ＳＤＢ」と称する）によって動作し、第２クロック信号ＣＬＫ２に同期してクロックパルスをスイッチングトランジスタＴＲ２に順次に出力する。順次に導通したスイッチングトランジスタＴＲ２を通じて処理された接触感知信号ＶＴ（第２直列信号）はアナログ−デジタル変換器８４０に入力される。
【００７６】
ここで、第２クロック信号ＣＬＫ２の周波数ｆ２は、クロック信号ＣＬＫ１の周波数ｆ１より小さい。例えばｘ＝２＊ｙであれば、ｆ１＝３＊ｆ２である。
【００７７】
一方、スイッチＳＷ１は、第２標本維持部８２２とスイッチングトランジスタＴＲ１との間に連結されており、選択信号ＳＤによって接触感知信号ＶＴをスイッチングトランジスタＴＲ１に伝達する。
【００７８】
また、スイッチＳＷ２は、第２標本維持部８２２とスイッチングトランジスタＴＲ２との間に連結されており、反転信号ＳＤＢによって接触感知信号ＶＴをスイッチングトランジスタＴＲ２に伝達する。
【００７９】
シフトレジスター８３２とスイッチＳＷ２がインバータ（図示せず）を備えることで、反転信号ＳＤＢの代わりに選択信号ＳＤによって動作することもできる。
【００８０】
スイッチＳＷ１とスイッチＳＷ２は、一つのスイッチからなることができ、このスイッチは選択信号ＳＤによって接触感知信号ＶＴをスイッチングトランジスタＴＲ１とスイッチングトランジスタＴＲ２のうちのいずれかに伝達する。
【００８１】
アナログ−デジタル変換器８４０は、選択信号ＳＤによって信号線Ｌ１及び信号線Ｌ２のうちのいずれかから信号の入力を受ける。また、選択信号ＳＤによってクロック信号ＣＬＫ１及びクロック信号ＣＬＫ２のうちのいずれかを選択して、選択されたクロック信号に同期して動作する。アナログ−デジタル変換器８４０は、信号線Ｌ１を通じて入力された感知信号ＶＰ、ＶＴをクロック信号ＣＬＫ１によってデジタル感知信号ＤＳＮに変換して出力したり、信号線Ｌ２を通じて入力された接触感知信号ＶＴをクロック信号ＣＬＫ２によってデジタル感知信号ＤＳＮに変換して出力する。アナログ−デジタル変換器８４０は、クロック信号ＣＬＫ１、ＣＬＫ２のうちのいずれか一つと信号線Ｌ１、Ｌ２のうちのいずれか一つとを選択するためにマルチプレクサー（図示せず）を含む。
【００８２】
電源部８５０は、外部から電源ＰＷの印加を受けて各駆動ブロック８１０〜８４０に供給し、選択信号ＳＤによって増幅部８１１、第１標本維持部８２１、及びシフトレジスター８３１に供給される電源を遮断したり、シフトレジスター８３２に供給される電源を遮断する。
【００８３】
一方、図６に示しているように、信号読取部８００は、データ駆動部５００及び信号制御部６００などと共に一つの複合ＩＣ（ワンチップ）１０００内に集積できる。
【００８４】
複合ＩＣ１０００は、階調電圧生成部５５０、データ駆動部５００、複数の出力バッファー５１０、インターフェース部６１０、信号制御部６００、信号読取部８００、および電源部９００を含み、信号読取部８００は複数の増幅部８１０、標本維持部８２０、並列−直列変換器８３０、およびアナログ−デジタル変換器８４０を含む。別途に図示していないが、接触判断部も複合ＩＣ１０００に含まれることができる。
【００８５】
階調電圧生成部５５０、データ駆動部５００、信号制御部６００、及び信号読取部８００は上述したことと実質的に同一なので、これについての説明は省略する。
【００８６】
出力バッファー５１０は、データ線Ｄ１〜Ｄｍに連結されており、データ駆動部５００からのデータ電圧をデータ線Ｄ１〜Ｄｍに出力する。
【００８７】
出力バッファー５１０及び増幅部８１０の数は、データ線Ｄ１〜Ｄｍ及び感知信号線Ｐ１〜ＰＭの数によって各々決められ、前記で例に挙げたように、液晶表示装置と感知部の解像度が全てＱＶＧＡであれば、出力バッファー５１０の数は増幅部８１０数の３倍となる。この時、出力バッファー５１０に連結された複合ＩＣ１０００の出力端子と増幅部８１０に連結された複合ＩＣ１０００の入力端子は交互に配置されるが、出力端子３個当り入力端子１個が配置される。液晶表示装置の解像度がＱＶＧＡで、感知部の解像度がＱＱＶＧＡであれば、出力端子６個当り入力端子１個が配置される。しかし、これに限定されず、複合ＩＣ１０００の出力バッファー５１０及び増幅部８１０に関する入出力端子の配置は光感知部及び接触感知部の配置によって変わり得る。
【００８８】
インターフェース部６１０は、外部からの映像信号Ｒ、Ｇ、Ｂ及び入力制御信号ＣＮＴを受け入れて信号制御部６００などが処理できる信号に変換する。
【００８９】
電源部９００は、外部から電源ＰＷの印加を受けて複合ＩＣ１０００内部の各駆動ブロックに供給し、増幅部８１１、第１標本維持部８２１、及びシフトレジスター８３１に供給される電源を遮断し、またはシフトレジスター８３２に供給される電源を遮断する。
【００９０】
このように液晶表示装置を駆動する処理ユニット５００、６００、８００、および９００を複合ＩＣ１０００内に集積することによって液晶表示板組立体３００の大きさを縮小することができ、消費電力も低減することができる。また、処理ユニット５００、６００、８００、および９００を複数のチップで実現することに比べて原価も節減される。
【００９１】
必要に応じて、各処理ユニットまたは各処理ユニットで使用される回路素子を複合ＩＣ１０００の外部に置くことができ、映像走査部４００及び／または感知走査部７００を複合ＩＣ１０００内部に形成してもよい。また、複合ＩＣ１０００は表示動作及び感知動作のためにラッチ、レジスター、メモリなどをさらに含んでもよい。
【００９２】
以下では、このような液晶表示装置の表示動作及び感知動作について、より詳細に説明する。
【００９３】
信号制御部６００は、外部のグラフィック制御機（図示せず）から入力映像信号Ｒ、Ｇ、Ｂ及びその表示を制御する入力制御信号ＣＮＴ、例えば、垂直同期信号Ｖｓｙｎｃと水平同期信号Ｈｓｙｎｃ、メーンクロックＭＣＬＫ、データイネーブル信号ＤＥなどの信号を、インターフェース部６１０を通じて提供を受ける。信号制御部６００は、入力映像信号Ｒ、Ｇ、Ｂと入力制御信号ＣＮＴに基づいて映像信号Ｒ、Ｇ、Ｂを液晶表示板組立体３００の動作条件に合わせて適切に処理し、映像走査制御信号ＣＯＮＴ１及びデータ制御信号ＣＯＮＴ２などの信号を生成した後、映像走査制御信号ＣＯＮＴ１を映像走査部４００に出力し、データ制御信号ＣＯＮＴ２と処理した映像信号ＤＡＴはデータ駆動部５００に出力する。また、信号制御部６００は入力制御信号ＣＮＴに基づいて感知走査制御信号ＣＯＮＴ３及び読取制御信号ＣＯＮＴ４を生成した後、感知走査制御信号ＣＯＮＴ３を感知走査部７００に出力し、読取制御信号ＣＯＮＴ４を信号読取部８００に出力する。
【００９４】
映像走査制御信号ＣＯＮＴ１は、ゲートオン電圧Ｖｏｎの走査開始を指示する走査開始信号ＳＴＶと、ゲートオン電圧Ｖｏｎの出力を制御する少なくとも一つのクロック信号などの信号を含む。
【００９５】
データ制御信号ＣＯＮＴ２は、一つの画素行のデータ伝送を知らせる水平同期開始信号ＳＴＨ、データ線Ｄ１〜Ｄｍに当該データ電圧を印加することを命令するロード信号ＬＯＡＤ、共通電圧Ｖｃｏｍに対するデータ電圧の極性（以下、「共通電圧に対するデータ電圧の極性」を略して「データ電圧の極性」と称する）を反転させる反転信号ＲＶＳ及びデータクロック信号ＨＣＬＫなどの信号を含む。
【００９６】
データ駆動部５００は、信号制御部６００からのデータ制御信号ＣＯＮＴ２によって一つの行の画素に対する映像データＤＡＴの入力を受けて当該データ電圧に変換した後、これを当該データ線Ｄ１〜Ｄｍに印加する。
【００９７】
映像走査部４００は、信号制御部６００からの映像走査制御信号ＣＯＮＴ１によってゲートオン電圧Ｖｏｎを映像走査線Ｇ１〜Ｇｎに印加して、この映像走査線Ｇ１〜Ｇｎに連結されたスイッチング素子ＱＳ１を導通させ、その結果データ線Ｄ１〜Ｄｍに印加されたデータ電圧が導通したスイッチング素子ＱＳ１を通じて当該画素に印加される。
【００９８】
画素に印加されたデータ電圧と共通電圧Ｖｃｏｍの差は液晶キャパシタＣＬＣの充電電圧、つまり、画素電圧として現れる。液晶分子は画素電圧の大きさに応じてその配列を異ならせ、その結果液晶層を通過する光の偏光が変化する。このような偏光の変化は、表示板に付着された偏光子（図示せず）によって光の透過率変化で現れる。
【００９９】
１水平周期（１Ｈ：水平同期信号Ｈｓｙｎｃ：データイネーブル信号ＤＥの一周期）が終了すれば、データ駆動部５００と映像走査部４００は次行の画素に対して同一動作を繰り返す。このような方式で、一つのフレームの間に全ての映像走査線Ｇ１〜Ｇｎに対して順次にゲートオン電圧Ｖｏｎを印加して、全ての画素にデータ電圧を印加する。一つのフレームが終了すれば、次のフレームが始まり、各画素に印加されるデータ電圧の極性が直前フレームにおける極性と反対になるようにデータ駆動部５００に印加される反転信号ＲＶＳの状態が制御される（フレーム反転）。この時、一つのフレーム内でも反転信号ＲＶＳの特性によって一つのデータ線を通じて流れるデータ電圧の極性が変わったり（例：行反転、点反転）、一つの画素行に印加されるデータ電圧の極性も互いに異なることがある（例：列反転、点反転）。
【０１００】
感知走査制御信号ＣＯＮＴ３は、ゲートオン電圧Ｖｏｎの走査開始を指示する感知走査開始信号ＳＴＶＰとゲートオン電圧Ｖｏｎの出力を制御する少なくとも一つのクロック信号などの信号を含む。
【０１０１】
読取制御信号ＣＯＮＴ４は選択信号ＳＤと反転信号ＳＤＢ及びクロック信号ＣＬＫ１、ＣＬＫ２などの信号を含む。
【０１０２】
感知走査部７００は信号制御部６００からの感知走査制御信号ＣＯＮＴ３によってゲートオン電圧Ｖｏｎを感知走査線Ｓ１〜ＳＮに印加して、この感知走査線Ｓ１〜ＳＮに連結されたスイッチング素子ＱＳ２、ＱＳ３を導通させ、その結果光感知部からの光感知信号ＶＰ及び／または接触感知部からの接触感知信号ＶＴが導通したスイッチング素子ＱＳ２、ＱＳ３を通じて当該感知信号線Ｐ１〜ＰＭに印加される。
【０１０３】
感知信号線Ｐ１〜ＰＭに印加された感知信号ＶＰ、ＶＴは増幅部８１０を通じて適切な信号レベルに増幅及びフィルタリングされ、標本維持部８２０によって標本が抽出及び維持された後、並列−直列変換器８３０を通じて直列信号に変換される。アナログ−デジタル変換器８４０はこのような直列信号をデジタル感知信号ＤＳＮに変換して接触判断部に出力する。接触判断部はこのデジタル感知信号ＤＳＮに対して適切な演算処理を行って接触有無及び接触位置を確認し外部装置に出力する。外部装置はこれに基づいた映像信号を液晶表示装置に伝送する。
【０１０４】
感知動作は上述した表示動作と別途に行われ、互いに影響を受けない。一つの画素行に対する感知動作は光感知部及び接触感知部の形成密度によって１水平周期または複数の水平周期ごとに行われる。また、一つの画素に対する感知動作は毎フレームごとに必ず行われる必要はなく、必要に応じて複数のフレームごとに１回ずつ行われてもよい。
【０１０５】
次に、本発明の一実施例によって電力消費を低減させることができる液晶表示装置の駆動方法について図７を参照して詳細に説明する。
【０１０６】
図７は本発明の一実施例による液晶表示装置の駆動方法を示した流れ図である。
【０１０７】
本発明の実施例による液晶表示装置は正常モード（ＮＭ）と節電モード（ＰＳ）に分けて感知動作を行う。正常モードＮＭ及び節電モードＰＳは選択信号ＳＤ及び／または反転信号ＳＤＢによって決められる。
【０１０８】
図７に示しているように、液晶表示装置が初期化されれば節電モードＰＳで動作を始める（Ｓ１０）。
【０１０９】
節電モードＰＳでは、スイッチＳＷ１が遮断されてスイッチＳＷ２は導通し、シフトレジスター８３１はディスエーブルされ、シフトレジスター８３２はイネーブルされる。また、シフトレジスター８３１、複数の増幅部８１１、及び第１標本維持部８２１には電源供給が遮断され、シフトレジスター８３２には電源が供給される。シフトレジスター８３２及びアナログ−デジタル変換器８４０は、クロック信号ＣＬＫ２によって動作する。このモードＰＳでは接触感知信号ＶＴに対してのみデジタル感知信号ＤＳＮを生成して接触有無を判断する。すなわち、表示装置の駆動方法は、接触感知部からの接触感知信号を読取る第1読取段階と、読取った接触感知信号ＶＴによって接触有無を判断する第1判断段階とを含む。
【０１１０】
このように節電モードＰＳで動作している時には増幅部８１１、第１標本維持部８２１、シフトレジスター８３１に電源が供給されないので電力消費が減少し、また、シフトレジスター８３２及びアナログ−デジタル変換器８４０が低い周波数を有するクロック信号ＣＬＫ２に同期して動作するのでさらに消費電力を減らすことができる。
【０１１１】
フレームカウンターＦＣは０に初期化される（Ｓ２０）。フレームカウンターＦＣはフレームの数を計数（カウント）するための変数で、正常モードＮＭから節電モードＰＳに変換する条件で使用される。
【０１１２】
節電モードＰＳで動作している時、接触有無を判断する（第1判断段階）（Ｓ３０）。
【０１１３】
第一判断段階（Ｓ３０）で接触有無を判断した結果、接触にしなかったと判断されれば、節電モードＰＳを維持して（Ｓ１０）接触有無の判断を続け、接触したと判断されれば、動作モードを正常モードＮＭに変換する（Ｓ４０）。
【０１１４】
正常モードＮＭでは、スイッチＳＷ１が導通してスイッチＳＷ２は遮断され、シフトレジスター８３１はイネーブルされて、シフトレジスター８３２はディスエーブルされる。また、シフトレジスター８３１には電源が供給され、シフトレジスター８３２には電源供給が遮断される。シフトレジスター８３１及びアナログ−デジタル変換器８４０はクロック信号ＣＬＫ１によって動作する。この正常モードＮＭでは感知信号ＶＰ、ＶＴ全体に対してデジタル感知信号ＤＳＮを生成して接触有無及び接触位置を判断する。すなわち、表示装置の駆動方法は、光感知部からの光感知信号と共に接触感知部からの接触感知信号を読取る第２読取段階と、読取った接触感知信号ＶＴによって接触有無を判断する第２判断段階とを含む。
【０１１５】
正常モードＮＭで動作している時、接触有無を判断する（Ｓ５０）。
【０１１６】
段階（Ｓ５０）で判断した結果、接触したと判断されれば、フレームカウンターＦＣを０に初期化した（Ｓ６０）後、正常モードＮＭを維持して（Ｓ４０）接触有無及び接触位置を判断し続ける。
【０１１７】
段階（Ｓ５０）で判断した結果、接触しなかったと判断されれば、フレームカウンターＦＣ値を１増加させる（Ｓ７０）。そして、フレームカウンターＦＣ値と設定値Ｎを比較して（Ｓ８０）フレームカウンターＦＣ値が設定値Ｎと異なれば正常モードＮＭを維持し（Ｓ４０）、同一であれば節電モードＰＳに変換する（Ｓ１０）。ここで、設定値Ｎは任意の自然数である。
【０１１８】
つまり、節電モードＰＳで動作している時に接触が感知されれば正常モードＮＭに変換し、正常モードＮＭで動作している時に接触が所定時間感知されなければ再び節電モードＰＳに変換する。このように接触がない時には節電モードＰＳで動作することによって電力消費を減らすことができる。
【０１１９】
上述では表示装置として液晶表示装置を例として説明したが、これに限定されず、本発明は有機発光表示装置（ＯＬＥＤ）及びプラズマ表示装置（ＰＤＰ）などの平板表示装置にも適用することができる。
【０１２０】
以上、本発明の好ましい実施例について詳細に説明したが、本発明の権利範囲はこれに限定されず、請求範囲で定義している本発明の基本概念を利用した当業者のさまざまな変形及び改良形態もまた本発明の権利範囲に属する。
【図面の簡単な説明】
【０１２１】
【図１】本発明の一実施例による液晶表示装置のブロック図である。
【図２】本発明の一実施例による液晶表示装置の光感知部を含む画素に対する等価回路図である。
【図３】本発明の一実施例による液晶表示装置の接触感知部を含む画素に対する等価回路図である。
【図４】本発明の一実施例による信号読取部が実現されているＩＣのブロック図である。
【図５】本発明の一実施例による信号読取部の概略図である。
【図６】本発明の一実施例による信号読取部が実現されている複合ＩＣのブロック図である。
【図７】本発明の一実施例による液晶表示装置の駆動方法を示した流れ図である。
【符号の説明】
【０１２２】
３００    液晶表示板組立体、
４００    映像走査部、
５００    データ駆動部、
５１０    出力バッファー、
５５０    階調電圧生成部、
６００    信号制御部、
７００    感知走査部、
８００    信号読取部、
８１０    増幅部、
８１１    ｘ個の増幅部、
８１２    ｙ個の増幅部、
８２０    標本維持部、
８２１    第１標本維持部、
８２２    第２標本維持部、
８３０    並列−直列変換器、
８３１、８３２    シフトレジスター、
８４０    アナログ−デジタル変換器、
８５０、９００    電源部、
１０００    複合ＩＣ、
Ｄ１〜Ｄｍ    データ線、
Ｇ１〜Ｇｎ    映像走査線、
ＣＮＴ    入力制御信号、
ＣＯＮＴ１    映像走査信号、
ＣＰ１    感知信号キャパシタ、
ＣＬＣ    液晶キャパシタ、
ＣＬＫ１、ＣＬＫ２    クロック信号、
ＣＯＮＴ１、ＣＯＮＴ２    映像走査制御信号、
ＣＯＮＴ３    感知走査制御信号、
ＣＯＮＴ４    読取制御信号、
ＣＳＴ    ストレージキャパシタ、
ＤＥ    イネーブル信号、
ＤＡＴ    映像データ、
ＤＳＮ    デジタル感知信号、
Ｈｓｙｎｃ    水平同期信号、
Ｌ１、Ｌ２    信号線、
ＭＣＬＫ    メインクロック、
ＮＭ    正常モード、
Ｐ１〜ＰＭ    感知信号線、
ＰＳ    節電モード、
ＰＳＧ    制御電圧線、
ＰＳＤ    入力電圧線、
ＱＰ、ＱＴ    感知素子、
ＱＳ１、ＱＳ２、ＱＳ３    スイッチング素子、
Ｓ１〜ＳＮ    感知走査線、
ＳＤ、ＳＤＢ    選択信号、
ＳＴＨ    水平同期開始信号、
ＳＴＶ    走査開始信号、
ＳＴＶＰ    感知走査開始信号、
ＳＷＴ、ＳＷ１、ＳＷ２    スイッチ、
ＲＶＳ    反転信号、
ＴＲ１、ＴＲ２    スイッチングトランジスタ、
Ｖｃｏｍ    共通電圧、
Ｖｏｎ    ゲートオン電圧、
Ｖｏｆｆ    ゲートオフ電圧、
ＶＰ    光感知信号、
ＶＳＤ    入力電圧、
Ｖｓｙｎｃ    垂直同期信号、
ＶＴ    接触感知信号。
【図１】
2006201763.tif 000003
【図２】
2006201763.tif 000004
【図３】
2006201763.tif 000005
【図４】
2006201763.tif 000006
【図５】
2006201763.tif 000007
【図６】
2006201763.tif 000008
【図７】
2006201763.tif 000009